(57)【要約】【課題】デフロスト運転中であっても凝縮器を通過した空気を加熱及び乾燥させて利用側へ供給することが可能なヒートポンプ加熱乾燥装置を提供する。【解決手段】熱源側熱交換器３、圧縮機４、利用側熱交換器５、及び膨張機構６を有して、冷媒Ｒを圧縮と蒸発を繰り返しつつ循環させ、かつ、利用側熱交換器５を蒸発器として機能させるデフロスト運転が可能な冷媒回路１と、利用側熱交換器５に接続されて、利用側熱交換器５との間で熱交換を行う外気が流通する風路１１と、風路１１において、利用側熱交換器５の下流側に設けられて水分を吸着することで発熱し、吸熱することで水分を放出する吸着熱交換器と、を備えるヒートポンプ加熱乾燥装置１００である。【選択図】図１
2019148370.tif 000002
【特許請求の範囲】
【請求項１】
蒸発器、圧縮機、凝縮器、及び膨張機構を有して、冷媒を圧縮と蒸発を繰り返しつつ循環させ、かつ、前記凝縮器を蒸発器として機能させるデフロスト運転が可能な冷媒回路と、
前記凝縮器に接続されて、該凝縮器との間で熱交換を行う外気が流通する風路と、
前記風路において、前記凝縮器の下流側に設けられて水分を吸着することで発熱し、吸熱することで水分を放出する吸着熱交換器と、
を備えるヒートポンプ加熱乾燥装置。
【請求項２】
前記風路は、
前記凝縮器を通過した前記外気を、前記吸着熱交換器をバイパスして流通させる主流路と、
前記吸着熱交換器が配置されるとともに前記主流路から分岐した後に合流し、前記凝縮器を通過した前記外気を前記吸着熱交換器に流通させる分岐流路と、
を有し、
前記分岐流路が前記主流路から分岐する位置に設けられて、前記主流路を開閉可能な風路ダンパをさらに備える請求項１に記載のヒートポンプ加熱乾燥装置。
【請求項３】
前記風路ダンパの開閉制御を行う風路制御部をさらに備え、
前記風路制御部は、前記デフロスト運転中に前記主流路を閉塞し、通常運転中、及び前記デフロスト運転の終了後に前記風路ダンパによって前記主流路を開放する請求項２に記載のヒートポンプ加熱乾燥装置。
【請求項４】
前記風路に設けられ、前記吸着熱交換器を通過した前記外気を外部へ排出する排出口と、
前記風路に設けられ、前記排出口を開閉可能な排出ダンパと、
をさらに備える請求項１から３のいずれか一項に記載のヒートポンプ加熱乾燥装置。
【請求項５】
前記排出ダンパの開閉制御を行う排出制御部をさらに備え、
前記排出制御部は、デフロスト運転中、及び通常運転中に前記排出口を閉塞し、デフロスト運転の終了後の所定時間、前記排出ダンパによって前記排出口を開放する請求項４に記載のヒートポンプ加熱乾燥装置。
【請求項６】
前記風路における前記吸着熱交換器の下流側に設けられたヒータをさらに備える請求項１から５のいずれか一項に記載のヒートポンプ加熱乾燥装置。
【発明の詳細な説明】
【技術分野】
【０００１】
本発明は、ヒートポンプ加熱乾燥装置に関する。
【背景技術】
【０００２】
圧縮機、凝縮器（利用側熱交換器）、膨張装置、及び蒸発器（熱源側熱交換器）を含む種々の装置が冷媒配管によって接続された冷媒回路を有するヒートポンプが一般に知られている。そして加熱乾燥装置には省エネ等の観点からこのヒートポンプが用いられる場合がある。ヒートポンプ式の加熱乾燥装置では、凝縮器で加熱された空気が利用側に供給される。
【０００３】
ヒートポンプは、凝縮器で外気から熱をくみ上げるため、外気の温度が低い場合には凝縮器が着霜する。着霜すると熱交換の効率が低下する。このため凝縮器から霜を取り除くためのデフロスト運転が必要となる。
【０００４】
デフロスト運転では冷媒回路における冷媒の流通経路が切り換えられ、凝縮器を蒸発器として機能させる。このため凝縮器で冷媒の凝縮熱を回収できず、この凝縮熱で空気を加熱することができなくなる。この結果、加熱乾燥装置から利用側に供給される空気の温度が低下してしまうといった問題がある。
【０００５】
ここで特許文献１には、蓄熱器に蓄えた熱をデフロスト運転時に放熱することで、室内へ冷風が供給されることを抑制するヒートポンプ式空気調和器が記載されている。
【先行技術文献】
【特許文献】
【０００６】
【特許文献１】特開昭５８−３１２５９号公報
【発明の概要】
【発明が解決しようとする課題】
【０００７】
しかしながら、特許文献１のように蓄熱器を用いた場合、単に冷風の吹き出しを抑制することはできても、デフロスト運転中の利用側熱交換器を通過することで生成される湿った冷風の除湿までを行うことは難しい。
【０００８】
そこで本発明は、デフロスト運転中であっても、凝縮器を通過した空気を加熱及び乾燥させて利用側へ供給することが可能なヒートポンプ加熱乾燥装置を提供する。
【課題を解決するための手段】
【０００９】
本発明は、上記課題を解決するため、以下の手段を採用する。
本発明の一態様に係るヒートポンプ加熱乾燥装置は、蒸発器、圧縮機、凝縮器、及び膨張機構を有して、冷媒を圧縮と蒸発を繰り返しつつ循環させ、かつ、前記凝縮器を蒸発器として機能させるデフロスト運転が可能な冷媒回路と、前記凝縮器に接続されて、該凝縮器との間で熱交換を行う外気が流通する風路と、前記風路において、前記凝縮器の下流側に設けられて水分を吸着することで発熱し、吸熱することで水分を放出する吸着熱交換器と、を備える。
【００１０】
このようなヒートポンプ加熱乾燥装置によれば、外気温度が低い環境下で凝縮器に着霜した際にデフロスト運転が行われた場合、凝縮器は蒸発器として機能するため、風路を流通する外気が凝縮器で加熱されない。ここで外気は、着霜した凝縮器を通過することで高湿の冷たい空気となり、吸着熱交換器を通過する。すると吸着熱交換器で外気中の水分が吸着されるとともに吸着熱交換器が蓄熱し昇温する。従って凝縮器を通過した外気が吸着熱交換器で乾燥されつつ加熱され、高温乾燥空気が生成される。この高温乾燥空気を利用側に供給することができる。即ち、デフロスト運転中に凝縮器を通過した高湿の冷たい空気がそのまま利用側に供給されてしまうことがなくなる。
【００１１】
上記態様では、前記風路は、前記凝縮器を通過した前記外気を、前記吸着熱交換器をバイパスして流通させる主流路と、前記吸着熱交換器が配置されるとともに前記主流路から分岐した後に合流し、前記凝縮器を通過した前記外気を前記吸着熱交換器に流通させる分岐流路と、を有していてもよい。さらに上記態様のヒートポンプ加熱乾燥装置は、前記分岐流路が前記主流路から分岐する位置に設けられて、前記主流路を開閉可能な風路ダンパをさらに備えていてもよい。
【００１２】
このように主流路から分岐する分岐流路を分岐位置に設け、分岐流路に吸着熱交換器を配置し、風路ダンパによって主流路を開閉可能としている。デフロスト運転中には、主流路を閉塞することで凝縮器を通過したすべての空気を分岐流路に流入させ、吸着熱交換器を流通させることができる。従って凝縮器を通過した空気が吸着熱交換器で乾燥されつつ加熱されて高温乾燥空気が生成される。そしてこの高温乾燥空気を利用側に供給することができる。
【００１３】
上記態様のヒートポンプ加熱乾燥装置は、前記風路ダンパの開閉制御を行う風路制御部をさらに備え、前記風路制御部は、前記デフロスト運転中に前記主流路を閉塞し、通常運転中、及び前記デフロスト運転の終了後に前記風路ダンパによって前記主流路を開放してもよい。
【００１４】
デフロスト運転中には主流路が閉塞されることで、凝縮器を通過したすべての空気を分岐流路に流入させた後に吸着熱交換器を流通させることができる。従って凝縮器を通過した空気が吸着熱交換器で乾燥されつつ加熱されて高温乾燥空気が生成される。そしてこの高温乾燥空気を利用側に供給することができる。また、デフロスト運転の終了後には主流路が開放されて、通常運転中にも、主流路が開放された状態が維持される。よってデフロスト運転終了後及び通常運転では、主流路にも凝縮器で加熱された空気が流通し、主流路を経由して高温乾燥空気を利用側へ供給可能となる。ここでいう通常運転とは凝縮器が凝縮器として機能している状態を示す。
【００１５】
上記態様のヒートポンプ加熱乾燥装置は、前記風路に設けられ、前記吸着熱交換器を通過した前記外気を外部へ排出する排出口と、前記風路に設けられ、前記排出口を開閉可能な排出ダンパと、をさらに備えていてもよい。
【００１６】
デフロスト運転を終了した後通常運転を開始すると、外気は凝縮器で加熱され始める。よって吸着熱交換器を加熱された空気が通過する。そしてデフロスト運転によって水分を吸着した状態となっている吸着熱交換器が吸熱し、吸着熱交換器が吸着されている水分を放出する。この結果、吸着熱交換器の吸着された水分が凝縮器からの空気に混入して高湿の空気が生成される。ここで、排出ダンパによって排気口を開放することで、吸着熱交換器からの高湿の空気が利用側に供給されてしまうことを回避できる。
【００１７】
上記態様のヒートポンプ加熱乾燥装置は、前記排出ダンパの開閉制御を行う排出制御部をさらに備え、前記排出制御部は、デフロスト運転中、及び通常運転中に前記排出口を閉塞し、デフロスト運転の終了後の所定時間、前記排出ダンパによって前記排出口を開放してもよい。
【００１８】
デフロスト運転の終了後に排出口が開放されることで、吸着熱交換器の吸着された水分が凝縮器を通過した空気に混入して生成された高湿空気を排出口から排気できる。そしてこの高湿空気が利用側に供給されてしまうことを回避できる。また、デフロスト運転中には排出口が閉塞され、着霜した凝縮器を通過することで生成された高湿の冷たい空気が排出口から排気されず、吸着熱交換器で乾燥されつつ加熱されて高温乾燥空気が生成される。そしてこの高温乾燥空気を利用側に供給することができる。さらに通常運転中には、排出口が閉塞され、凝縮器で加熱乾燥された空気が排出口から排出されることなく、加熱後の空気をそのまま利用側に供給することができる。
【００１９】
上記態様のヒートポンプ加熱乾燥装置は、前記風路における前記吸着熱交換器の下流側に設けられたヒータをさらに備えていてもよい。
【００２０】
このようなヒータを設けることで、デフロスト運転中に吸着熱交換器を通過した空気の温度が、利用側の要求する温度よりも低温である場合であっても、この空気を加熱することができ、利用側へ高温乾燥空気を供給することが可能となる。
【発明の効果】
【００２１】
上記のヒートポンプ加熱乾燥装置では、デフロスト運転中であっても、凝縮器を通過した空気を加熱及び乾燥させて利用側へ供給することが可能である。
【図面の簡単な説明】
【００２２】
【図１】本発明の実施形態に係るヒートポンプ加熱乾燥装置の概要構成図であって、加熱運転（通常運転）を行っている状態を示す図である。
【図２】本発明の実施形態に係るヒートポンプ加熱乾燥装置の概要構成図であって、デフロスト運転を行っている状態を示す図である。
【図３】本発明の実施形態に係るヒートポンプ加熱乾燥装置の風路を示す概要構成図であって、（ａ）は加熱運転（通常運転）を行っている状態を示し、（ｂ）は加熱運転の後にデフロスト運転を行っている状態を示し、（ｃ）はデフロスト運転を終了した後に加熱運転（通常運転）を開始した直後の状態を示す。
【図４】本発明の実施形態に係るヒートポンプ加熱乾燥装置の各制御部によって各ダンパを制御するタイミングを示す図である。
【図５】本発明の実施形態の第一変形例に係るヒートポンプ加熱乾燥装置の概要構成図であって、加熱運転（通常運転）を行っている状態を示す図である。
【図６】本発明の実施形態の第一変形例に係るヒートポンプ加熱乾燥装置の概要構成図であって、デフロスト運転を行っている状態を示す図である。
【図７】本発明の実施形態の第二変形例に係るヒートポンプ加熱乾燥装置の概要構成図であって、加熱運転（通常運転）を行っている状態を示す図である。
【図８】本発明の実施形態の第二変形例に係るヒートポンプ加熱乾燥装置の概要構成図であって、デフロスト運転を行っている状態を示す図である。
【発明を実施するための形態】
【００２３】
以下、図面を参照して、本発明の実施形態に係るヒートポンプ加熱乾燥装置１００について説明する。ただし、本発明はこの実施形態のみに限定されるものではない。
【００２４】
図１及び図２に示すように、ヒートポンプ加熱乾燥装置１００は、熱源側熱交換器（蒸発器）３と、圧縮機４と、利用側熱交換器（凝縮器）５と、膨張機構６と、これらを接続して冷媒Ｒが流れる管路７とを有する冷媒回路１を備えている。さらにヒートポンプ加熱乾燥装置１００は、冷媒回路１における利用側熱交換器５に接続された風路１１と、風路１１に設けられた吸着熱交換器１７（図３参照）とを備えている。
【００２５】
冷媒回路１では、圧縮機４で圧縮された高温高圧の冷媒Ｒを利用側熱交換器５で凝縮させて低温高圧の冷媒Ｒとする。そして低温高圧の冷媒Ｒを膨張弁等の膨張機構６で膨張させて低温低圧の冷媒Ｒとした後、熱源側熱交換器３で低温低圧の冷媒Ｒを蒸発させて高温低圧の冷媒Ｒを圧縮機４に導入する。熱源側熱交換器３はいわゆる室外機であり、利用側熱交換器５は室内機である。
【００２６】
冷媒回路１では、圧縮機４と利用側熱交換器５との間の管路７には、四方切換弁１８が設けられている。この四方切換弁１８は、四つのポートＡ、Ｂ、Ｃ、Ｄが設けられている。ポートＤには圧縮機４の出口から延びる管路７ａが接続され、ポートＡには利用側熱交換器５の入口から延びる管路７ｂが接続されている。図１に示す加熱運転（通常運転）を行っている場合、ポートＤとポートＡとが連通され、圧縮機４の出口からの冷媒Ｒが利用側熱交換器５に導入可能となっている。
【００２７】
さらに冷媒回路１では、四方切換弁１８のポートＢと圧縮機４との間の管路７ｃには、アキュムレータ１９が接続されている。アキュムレータ１９は、圧縮機４の入口に液冷媒が吸入されてしまうことを回避する。即ちアキュムレータ１９は、冷媒Ｒを気相と液相に分離し、気相のみを圧縮機４の入口に導入可能とする。
【００２８】
また冷媒回路１では、四方切換弁１８のポートＣに熱源側熱交換器３から延びる管路７ｄが接続されている。図１に示す加熱運転を行っている場合、ポートＢとポートＣとが連通され、熱源側熱交換器３の出口からの冷媒Ｒがアキュムレータ１９の入口に導入可能となっている。
【００２９】
また冷媒回路１では、膨張機構６と並列に開閉弁２６が設けられている。開閉弁２６は、膨張機構６をバイパスするように膨張機構６の上流側及び下流側で管路７ｅに接続された膨張機構バイパス管路２３に設けられている。膨張機構６は、利用側熱交換器５の出口と熱源側熱交換器３の入口との間に設けられている。
【００３０】
また冷媒回路１では、膨張機構６と熱源側熱交換器３との間の管路７ｅから分岐するようにバイパス管路２１が設けられている。より具体的には、このバイパス管路２１の第一端２１ａは膨張機構６と熱源側熱交換器３との間の管路７ｅに接続され、第二端２１ｂは四方切換弁１８のポートＢとアキュムレータ１９との間で、管路７ｃに接続されている。バイパス管路２１には開閉弁２２が設けられている。開閉弁２２が開放されると、冷媒Ｒが第一端２１ａから第二端２１ｂへ向かって流通可能となる。またバイパス管路２１には第二端２１ｂから第一端２１ａへは冷媒Ｒが流れないように逆止弁２４が設けられている。
【００３１】
ここで冷媒回路１には、利用側熱交換器５と膨張機構６との間に凍結防止熱交換器２５が設けられていてもよい。
【００３２】
次に、図３を参照して風路１１、及び吸着熱交換器１７について説明する。
風路１１は、利用側熱交換器５に接続されている。そして風路１１の入口１１ａ側には吸気ファン３１が設けられている。吸気ファン３１の駆動によって外気が風路１１に流入し、利用側熱交換器５との間で熱交換する。風路１１は、利用側の出口１１ｂへ向かって延びる主流路１２と、主流路１２から分岐した後に主流路１２に合流する分岐流路１３とを有している。分岐流路１３は、利用側熱交換器５の下流側で主流路１２から分岐して主流路１２に合流する。
【００３３】
主流路１２には、分岐流路１３が主流路１２から分岐する位置と主流路１２に合流する位置との間に、主流路１２を開閉可能な風路ダンパ４１が設けられている。また風路ダンパ４１には、風路ダンパ４１の開閉制御を行う風路制御部４２が設けられている。風路制御部４２はデフロスト運転中（図２）に主流路１２を閉塞し、デフロスト運転の終了後、及び加熱運転中（図１）に主流路１２を開放する。これにより、利用側熱交換器５からのすべての空気を、分岐流路１３を経由して風路１１の出口１１ｂに導くか、又は、利用側熱交換器５からの空気を主流路１２及び分岐流路１３を経由して風路１１の出口１１ｂに導くかを選択可能となっている。
【００３４】
さらに主流路１２と分岐流路１３との合流位置の下流側、即ち風路１１の出口１１ｂ側で風路１１にはヒータ３２が設けられている。ヒータ３２は電気ヒータや蒸気コイル等であって、主流路１２を流通した空気を加熱する。
【００３５】
吸着熱交換器１７は分岐流路１３内に配置されている。吸着熱交換器１７は例えばシリカゲル、ゼオライト、活性炭、活性アルミナ、その他の合成材料等を内部に有している。吸着熱交換器１７は水分を吸着することで発熱し、吸熱することで水分を放出する。
【００３６】
吸着熱交換器１７の下流側で分岐流路１３には排出口４３が設けられている。排出口４３には、排出口４３を開閉可能な排出ダンパ４４が設けられている。また排出ダンパ４４には排出ダンパ４４を開閉制御する排出制御部４５が設けられている。排出ダンパ４４は排出制御部４５によって、デフロスト運転中（図２）、及び加熱運転中（図１）に排出口４３を閉塞し、デフロスト運転の終了後の所定時間、排出口４３を開放する。
【００３７】
次に、図１から図３を参照してデフロスト運転を行う場合の手順について説明する。
〈加熱運転（通常運転）〉
図１に示すように加熱運転を行っている場合、バイパス管路２１は開閉弁２２によって閉塞されている。冷媒Ｒは、冷媒回路１を圧縮機４→利用側熱交換器５→膨張機構６→熱源側熱交換器３→圧縮機４の順に流通している。
【００３８】
この状態では、図３（ａ）に示すように排出口４３は排出ダンパ４４によって閉塞され、主流路１２は開放されている。この状態では利用側熱交換器５が凝縮器として機能する。風路１１に取り込まれた外気は、利用側熱交換器５で加熱され、高温乾燥空気となって主流路１２及び分岐流路１３を流通して出口１１ｂに導かれる。
【００３９】
〈デフロスト運転〉
加熱運転を行っている状態で利用側熱交換器５が着霜した場合に、図２に示すようにデフロスト運転が実施される。デフロスト運転では、バイパス管路２１が開閉弁２２によって開放される。四方切換弁１８は不図示の制御部によって駆動され、ポートＡとポートＢとが連通され、ポートＣとポートＤとが連通される。すると圧縮機４の出口からの冷媒Ｒは熱源側熱交換器３に向かって流通する。また熱源側熱交換器３を通過した冷媒Ｒはバイパス管路２１を経由してアキュムレータ１９を通過して圧縮機４の入口へ導入される。
【００４０】
この状態では、図３（ｂ）に示すように排出口４３は排出ダンパ４４によって閉塞され、主流路１２も風路ダンパ４１によって閉塞されている。この状態では利用側熱交換器５が蒸発器として機能する。風路１１に取り込まれた外気は、着霜した利用側熱交換器５を通過することで高湿の冷たい空気となって分岐流路１３に流入する。その後、高湿の冷たい空気が吸着熱交換器１７を通過する。すると吸着熱交換器１７で空気中の水分が吸着されるとともに吸着熱交換器１７が蓄熱し昇温する。そして利用側熱交換器５を通過した空気が吸着熱交換器１７で乾燥されつつ加熱され、高温乾燥空気が生成される。分岐流路１３から主流路１２へ流入した高温乾燥空気は、出口１１ｂへ向かって流通する。必要に応じて、吸着熱交換器１７によって生成された高温乾燥空気の温度をヒータ３２によってさらに昇温する。
【００４１】
〈デフロスト運転終了後であって加熱運転開始直後〉
図３（ｃ）に示すように排出口４３は開放され、主流路１２も開放される。デフロスト運転を終了した後、加熱運転を開始すると風路１１に取り込まれた外気は利用側熱交換器５で加熱される。この際、利用側熱交換器５で加熱された空気の一部は分岐流路１３を流通し、吸着熱交換器１７を通過する。すると、デフロスト運転によって水分を吸着した状態となっている吸着熱交換器１７が加熱され、吸着熱交換器１７が吸熱する。そして吸着熱交換器１７に吸着されている水分が放出される。空気が吸着熱交換器１７を通過することで吸着熱交換器１７から放出された水分が空気に含まれ、排出口４３を通じて風路１１外に排出される。その後、所定時間経過後に排出口４３を閉塞し、図３（ａ）に示す加熱運転の状態とする。
【００４２】
次に図４を参照して、排出制御部４５及び風路制御部４２による排出ダンパ４４及び風路ダンパ４１の切換のタイミングについて説明する。
加熱運転を行っているステップＳ１では、主流路１２は開放され、排出口４３は排出ダンパ４４によって閉塞されている。
【００４３】
その後、デフロスト運転が開始されてステップＳ２に移行すると、風路制御部４２によって風路ダンパ４１が駆動されて主流路１２が閉塞される。この際、吸着熱交換器１７は水分を吸着して発熱している状態となり、吸着熱交換器１７から流出する空気の温度は「高」の状態となる。またこの際、吸着熱交換器１７へ流入する空気の相対湿度は「高」の状態となり、吸着熱交換器１７から流出する空気の相対湿度は「低」の状態となる。
【００４４】
その後、デフロスト運転が終了した後に加熱運転が開始された直後の所定時間ｔの間、加熱運転が行われているステップＳ３では、風路制御部４２によって風路ダンパ４１が駆動されて主流路１２が開放され、排出制御部４５によって排出ダンパ４４が駆動されて排出口４３が開放される。この際、吸着熱交換器１７は吸熱（蓄熱）して水分を放出している状態となり、吸着熱交換器１７から流出する空気の温度は「低」の状態となる。またこの際、吸着熱交換器１７へ流入する空気の相対湿度は「低」の状態となり、吸着熱交換器１７から流出する空気の相対湿度は「高」の状態となる。
【００４５】
その後、加熱運転が定常状態となっている状態では、主流路１２が開放された状態が維持され、排出制御部４５によって排出ダンパ４４が駆動されて排出口４３が閉塞される。即ちステップＳ１に戻り、吸着熱交換器１７は吸熱（蓄熱）している状態となり、吸着熱交換器１７から流出する空気の温度は「低」の状態となる。またこの際、吸着熱交換器１７へ流入する空気の相対湿度は「低」の状態となり、この結果、吸着熱交換器１７から流出する空気の相対湿度も「低」の状態となる。
【００４６】
以上説明した本実施形態のヒートポンプ加熱乾燥装置１００によれば、デフロスト運転が行われた場合に、高湿の冷たい空気が吸着熱交換器１７を通過することで利用側熱交換器５を通過した空気が吸着熱交換器１７で高温乾燥空気となる。そしてこの高温乾燥空気を利用側に供給することができる。この結果、利用側熱交換器５を通過した高湿の冷たい外気がそのまま利用側の出口に向かい、利用側へ供給されてしまうことがなくなる。即ち、デフロスト運転中であっても、利用側熱交換器５を通過した空気を加熱及び乾燥させて利用側へ供給することが可能となる。
【００４７】
また、風路１１に分岐流路１３を設け、分岐流路１３に吸着熱交換器１７を配置し、風路ダンパ４１によって主流路１２を開閉可能としている。そしてデフロスト運転中には、主流路１２を閉塞することで利用側熱交換器５を通過したすべての空気を分岐流路１３に流入させ、吸着熱交換器１７を流通させることができる。従って利用側熱交換器５を通過した空気の乾燥、加熱が十分にでき、吸着熱交換器１７で加熱乾燥された空気を、利用側に供給することができる。
【００４８】
また、デフロスト運転の終了後には風路ダンパ４１によって主流路１２が開放され、加熱運転中も主流路１２が開放された状態が維持される。よってデフロスト運転終了後及び加熱運転中には、主流路１２に利用側熱交換器５で加熱された空気が流通し、主流路１２を経由して高温乾燥空気を利用側へ供給可能となる。
【００４９】
また、デフロスト運転中には排出口４３が閉塞され、着霜した利用側熱交換器５を通過することで生成された高湿の冷たい空気が排出口４３から排気されず、吸着熱交換器１７で乾燥されつつ加熱される。そして吸着熱交換器１７から高温乾燥空気を利用側に供給することができる。
【００５０】
また、デフロスト運転を終了した後に加熱運転を開始すると、デフロスト運転によって水分を吸着した状態となっている吸着熱交換器１７の水分が、利用側熱交換器５を通過した外気に混入して高湿の空気が生成されてしまう。しかし排出ダンパ４４によって排出口４３を開放することで、吸着熱交換器１７からの高湿の空気が利用側に供給されてしまうことを回避できる。
【００５１】
さらに加熱運転中には排出口４３が閉塞され、利用側熱交換器５で加熱乾燥された空気が排出口４３から排出されることなく、利用側熱交換器５で加熱後の空気をそのまま利用側に供給することができる。
【００５２】
また、風路１１にヒータ３２を設けることで、デフロスト運転中に吸着熱交換器１７を通過した空気の温度が、利用側の要求する温度よりも低温である場合であっても、空気をさらに昇温することができ、利用側の要求に応えることができる。
【００５３】
以上、本発明の実施形態について図面を参照して詳述したが、各実施形態における各構成及びそれらの組み合わせ等は一例であり、本発明の趣旨から逸脱しない範囲内で、構成の付加、省略、置換、およびその他の変更が可能である。また、本発明は実施形態によって限定されることはなく、特許請求の範囲によってのみ限定される。
【００５４】
例えば冷媒回路１では、図５及び図６に示すように、バイパス管路２１の第二端２１ｂが四方切換弁１８のポートＤと圧縮機４との間の管路７ａに接続されていてもよい。そしてバイパス管路２１内の冷媒Ｒは第二端２１ｂから第一端２１ａに向かってのみ流通可能となるように逆止弁２４がバイパス管路２１に設けられている。そして図６に示すようにデフロスト運転を行っている場合には加熱運転を行っている場合と同じく、四方切換弁１８のポートＡとポートＤとが連通され、ポートＢとポートＣとが連通される。そして、圧縮機４の出口からの冷媒Ｒは、第二端２１ｂからバイパス管路２１に流入し、第一端２１ａから熱源側熱交換器３に流入する。熱源側熱交換器３からの冷媒Ｒは、四方切換弁１８を通過してアキュムレータ１９を経由して圧縮機４の入口に導入される。
【００５５】
また冷媒回路１では、図７及び図８に示すように、膨張機構６と利用側熱交換器５との間に第二膨張機構５１を設けてもよい。また、膨張機構６と第二膨張機構５１との間にレシーバ５２を設けてもよい。レシーバ５２は導入された冷媒Ｒの一部を一時的に貯留する圧力容器である。レシーバ５２では、気相と液相の二相の冷媒Ｒが混在して貯留される。冷媒回路１に凍結防止熱交換器２５が設けられる場合には、レシーバ５２は凍結防止熱交換器２５よりも、加熱運転時の冷媒Ｒの流れの上流側に設けられる。加熱運転、及びデフロスト運転における冷媒Ｒの流通経路は、図１及び図２に示す場合と同じである。
【００５６】
また、例えば風路１１の出口１１ｂに温度センサ６１（図３参照）を設け、風路１１の出口１１ｂでの空気の温度を計測してもよい。そして排出制御部４５及び風路制御部４２では、風路１１の出口１１ｂでの空気の温度が所定値（例えば８０度〜９０度）となるように、排出ダンパ４４及び風路ダンパ４１の開度調節を行ってもよい。
【００５７】
また必ずしもヒータ３２は設けなくともよい。また排出ダンパ４４、及び風路ダンパ４１を手動で開閉させてもよい。図４に示す排出ダンパ４４及び風路ダンパ４１の開閉タイミングは一例であって、利用側で要求される空気の温度に応じて適宜、排出ダンパ４４、及び風路ダンパ４１の開閉タイミングを選択可能である。
【符号の説明】
【００５８】
１…冷媒回路
３…熱源側熱交換器（蒸発器）
４…圧縮機
５…利用側熱交換器（凝縮器）
６…膨張機構
７…管路
１１…風路
１２…主流路
１３…分岐流路
１７…吸着熱交換器
１８…四方切換弁
１９…アキュムレータ
２１…バイパス管路
２１ａ…第一端
２１ｂ…第二端
２２…開閉弁
２３…膨張機構バイパス管路
２４…逆止弁
２５…凍結防止熱交換器
２６…開閉弁
３１…吸気ファン
３２…ヒータ
４１…風路ダンパ
４２…風路制御部
４３…排出口
４４…排出ダンパ
４５…排出制御部
５１…第二膨張機構
５２…レシーバ
６１…温度センサ
１００…ヒートポンプ加熱乾燥装置
Ｒ…冷媒
【図１】
2019148370.tif 000003
【図２】
2019148370.tif 000004
【図３】
2019148370.tif 000005
【図４】
2019148370.tif 000006
【図５】
2019148370.tif 000007
【図６】
2019148370.tif 000008
【図７】
2019148370.tif 000009
【図８】
2019148370.tif 000010